(57)【要約】【課題】着用者の足指を挿入するループの寸法を調節することができ、着用者の足指の太さや長さにかかわらず快適に使用することのできる靴用中敷を提供する。【解決手段】靴用中敷１００を、着用者の足裏を支持するための中敷本体１１０と、中敷本体１１０のおもて面側に着用者の足指を挿入するループを形成するためのループ形成材１２０とを備えたものとして、中敷本体１１０に対するループ形成材１２０の固着位置を変更することによって前記ループの形状を調節できるようにした。【選択図】図１
2007117726.tif 000002
【特許請求の範囲】
【請求項１】
中敷本体と、着用者の足指を挿入するループを中敷本体のおもて面側に形成するためのループ形成材とを備えた靴用中敷であって、中敷本体に対するループ形成材の固着位置を変更することによって前記ループの形状を調節できるようにしたことを特徴とする靴用中敷。
【請求項２】
ループ形成材が帯状又は紐状に形成され、中敷本体に対するループ形成材の一端部又は他端部の固着位置を変更することによって前記ループの形状を調節できるようにした請求項１記載の靴用中敷。
【請求項３】
ループ形成材の一端部又は他端部を固着するための固着部を中敷本体のうら面における所定範囲に設け、中敷本体のうら面側に出されたループ形成材の一端部又は他端部を前記固着部における任意の箇所に固着できるようにした請求項２記載の靴用中敷。
【請求項４】
前記固着部を中敷本体の前後方向に沿って帯状に設けた請求項３記載の靴用中敷。
【請求項５】
ループ形成材を通すための通し孔を中敷本体の足指支持部に設け、該通し孔から中敷本体のうら面側に出されたループ形成材の一端部と中敷本体の側方から中敷本体のうら面側に出されたループ形成材の他端部とを前記固着部における任意の箇所に固着できるようにした請求項３又は４記載の靴用中敷。
【請求項６】
前記通し孔が中敷本体の前後方向に沿って細長いスリット状に形成され、前記通し孔から中敷本体のうら面側に出されたループ形成材の一端部の固着位置を中敷本体の前後方向に沿って調節することができるようにした請求項５記載の靴用中敷。
【請求項７】
複数本のループ形成材を備え、着用者の足指を挿入するループを中敷本体のおもて面側における複数個所に形成できるようにした請求項６記載の靴用中敷。
【請求項８】
２本のループ形成材を備え、ループ形成材を通すための通し孔が中敷本体の足指支持部における第一指を支持する部分と第二指を支持する部分との間に形成され、一方のループ形成材の一端部と他方のループ形成材の一端部を前記通し孔から中敷本体のうら面側に出して固着し、一方のループ形成材の他端部を中敷本体の内側から中敷本体のうら面側に出して固着し、他方のループ形成材の他端部を中敷本体の外側から中敷本体のうら面側に出して固着することができるようにした請求項７記載の靴用中敷。
【発明の詳細な説明】
【技術分野】
【０００１】
本発明は、靴の着用者に理想的な歩行を提供することのできる靴用中敷に関する。
【背景技術】
【０００２】
靴の爪先側の幅を広く形成すると、歩行時に足指の踏ん張りが利かなくなるために、一般的な靴は、爪先側の幅が狭く形成されており、着用者の爪先を押さえつける構造となっている。しかし、爪先を押さえつける構造の靴は、外反母趾や、水虫や、足先の血流の悪化などを引き起こしやすく、それを敬遠する消費者も増えてきている。このような実状に鑑みてか、近年には、草履の鼻緒のように、足指で挟むことのできる部分（以下においては、この部分をその形態にかかわらず「鼻緒」と呼ぶことがある。）が設けられた靴用中敷が提案されるようになっている（例えば、特許文献１〜９を参照。）。
【０００３】
【特許文献１】実開平０４−０３１５０５号公報（実用新案登録請求の範囲、第1図）
【特許文献２】実開平０６−０７０６０６号公報（実用新案登録請求の範囲、図４）
【特許文献３】登録実用新案第３０２３７２７号公報（実用新案登録請求の範囲、図１）
【特許文献４】登録実用新案第３０３９８３８号公報（実用新案登録請求の範囲、図１）
【特許文献５】特開平１１−３１８５１１号公報（特許請求の範囲、図２）
【特許文献６】登録実用新案第３０６４１６５号公報（実用新案登録請求の範囲、図１）
【特許文献７】登録実用新案第３０６５６７２号公報（実用新案登録請求の範囲、図１）
【特許文献８】登録実用新案第３０５７２３３号公報（実用新案登録請求の範囲、図１）
【特許文献９】特許第３５２７９０６号公報（特許請求の範囲、図１）
【発明の開示】
【発明が解決しようとする課題】
【０００４】
これら従来の鼻緒付きの靴用中敷は、靴の爪先側の幅が広く形成されていても、足指を靴の内部で安定させることができ、歩行時の足指に踏ん張りを利かせることができるものではあったが、鼻緒の寸法や位置を調節することができるものではなかった。特に、靴の内部で足指をより安定させるという観点からは、鼻緒がループ状に形成されたものが好ましいが、このループの寸法を調節できるものについては全く見当たらなかった。このため、鼻緒の寸法や位置が着用者の足に合っていない場合には、足先に違和感や痛みを感じるおそれもあった。
【０００５】
本発明は、上記課題を解決するためになされたものであり、着用者の足指を挿入するループの寸法を調節することができ、着用者の足指の太さや長さにかかわらず快適に使用することのできる靴用中敷を提供するものである。
【課題を解決するための手段】
【０００６】
上記課題は、中敷本体と、該中敷本体のおもて面側に着用者の足指を挿入するループを形成するためのループ形成材とを備えた靴用中敷であって、中敷本体に対するループ形成材の固着位置を変更することによって前記ループの形状を調節できるようにしたことを特徴とする靴用中敷を提供することによって解決される。
【０００７】
前記ループが形成される箇所は、着用者の足指を挿入できる箇所であれば特に限定されないが、通常、着用者の足の第一指（親指）を挿入できる箇所（中敷本体の第一指支持部（着用者の足の第一指を支持する部分）のおもて面側）に前記ループが形成される。最も力が入りやすく踏ん張りに利く第一指を前記ループで支持することによって、足指を靴の内部でより安定させることができるためである。また、地面を蹴る際に着用者の体重が足の第一指側に載りやすくして、着用者に理想的な歩行（ローリング歩行）を提供することも可能になるためである。
【０００８】
ループ形成材は、通常、帯状又は紐状に形成され、中敷本体に対するループ形成材の一端部又は他端部の固着位置を変更することによって前記ループの形状を調節できるようにされる。ループ形成材の一端部又は他端部には、前記固着部に固着するための被固着部を設けてもよい。ループ形成材は、一端部又は他端部のうちいずれか一方の固着位置のみを変更できるものであってもよいが、両方の固着位置を変更できるものであると好ましい。これにより、前記ループの形状（寸法や向きを含む。）の選択自由度をより高めることができる。また、不要時にはループ形成材を中敷本体から完全に取り外すこともできるようになる。
【０００９】
ループ形成材の一端部又は他端部を固着するための固着部を中敷本体のうら面における所定範囲に設け、中敷本体のうら面側に出されたループ形成材の一端部又は他端部を前記固着部における任意の箇所に固着できるようにすることも好ましい。これにより、ループ形成材の一端部又は他端部を、着用者の足裏が接触する中敷本体のおもて面ではなく、中敷本体のうら面に固着することが可能になり、着用者がより快適に歩行することができるようになる。
【００１０】
前記固着部を設ける箇所は、特に限定されないが、中敷本体の前後方向に沿って帯状に設けると好ましい。これにより、ループ形成材の一端部又は他端部の固着位置を中敷本体の前後方向に沿って変更することが可能になり、前記ループの寸法だけでなくその向きを調節することもできるようになる。特に、着用者の足の第一指を挿入できる箇所に前記ループを形成する場合には、前記固着部を中敷本体のうら面における内側縁部に沿って帯状に設けるとより好ましい。これにより、中敷本体の第一指支持部（着用者の足の第一指を支持する部分）のおもて面側に、ループを綺麗に形成することができるようになる。前記固着部は、連続して設けられたものであってもよいし、複数個に分割して設けられたものであってもよい。
【００１１】
ループ形成材を通すための通し孔を中敷本体の足指支持部（足指の隙間に対向する部分をも含む。）に設け、該通し孔から中敷本体のうら面側に出されたループ形成材の一端部と中敷本体の側方から中敷本体のうら面側に出されたループ形成材の他端部とを前記固着部における任意の箇所に固着できるようにすることも好ましい。これにより、ループ形成材の一端部を中敷本体のうら面側に容易に引っ張り出すことが可能になる。
【００１２】
前記通し孔が中敷本体の前後方向に沿って細長いスリット状に形成され、前記通し孔から中敷本体のうら面側に出されたループ形成材の一端部の固着位置を中敷本体の前後方向に沿って調節することができるようにすることも好ましい。これにより、ループ形成材の一端部の固着位置を、中敷本体の前後方向に沿って変更することが可能になる。
【００１３】
上記の靴用中敷は、ループ形成材を１本のみ備えたものであってもよいが、複数本のループ形成材を備え、着用者の足指を挿入するループを中敷本体のおもて面側における複数個所に形成できるようにすることも好ましい。これにより、着用者の足指の血行をより促進したり、外反母趾や水虫などをさらに抑えたりするだけでなく、歩行時における安定性を向上させることも可能になる。例えば、いわゆる５本指靴下を着用する場合などには、５本のループ形成材を使用し、それぞれのループ形成材で形成されたループに足指を１本ずつ挿入するようにすることもできる。複数本（特に３本以上）のループ形成材を使用する場合には、前記通し孔を複数個所に設けてもよい。
【００１４】
また、２本のループ形成材を備え、ループ形成材を通すための通し孔が中敷本体の足指支持部における第一指を支持する部分と第二指を支持する部分との間に形成され、一方のループ形成材の一端部と他方のループ形成材の一端部を前記通し孔から中敷本体のうら面側に出して固着し、一方のループ形成材の他端部を中敷本体の内側から中敷本体のうら面側に出して固着し、他方のループ形成材の他端部を中敷本体の外側から中敷本体のうら面側に出して固着することができるようにすることも好ましい。これにより、草履のように、一方のループ形成材で着用者の足の第一指を挿入するループを形成し、他方のループ形成材で着用者の足の第二指、第三指、第四指及び第五指を一まとめに挿入するループを形成するようにすることが可能になる。
【発明の効果】
【００１５】
以上のように、本発明によって、着用者の足指を挿入するループの寸法を調節することができ、着用者の足指の太さや長さにかかわらず快適に使用することのできる靴用中敷を提供することが可能になる。
【発明を実施するための最良の形態】
【００１６】
本発明の靴用中敷の好適な実施態様について、図面を用いてより具体的に説明する。図１は、本発明の靴用中敷１００を示した斜視図である。図２は、図１における中敷本体１１０を示した平面図である。図３は、図１における中敷本体１１０を示した底面図である。図４は、図１におけるループ形成材１２０を示した平面図である。図５は、図１におけるループ形成材１２０を示した底面図である。図６は、本発明の靴用中敷１００を示した平面図である。図７は、本発明の靴用中敷１００を示した底面図である。図８は、本発明の靴用中敷１００を示した正面図である。図９は、本発明の靴用中敷１００を示した背面図である。図１０は、本発明の靴用中敷１００を示した左側面図である。図１１は、本発明の靴用中敷１００を示した右側面図である。
【００１７】
［概要］
本実施態様の靴用中敷１００は、図１に示すように、中敷本体１１０と、着用者の第一指を挿入するループを中敷本体１１０のおもて面側に形成するためのループ形成材１２０とを備えたものとなっており、中敷本体１１０に対するループ形成材１２０の固着位置を変更することによって前記ループの形状を調節することができるものとなっている。この靴用中敷１００は、靴の内部に収容して使用するものとなっている。以下においては、左足用の靴用中敷１００についてのみ説明するが、右足用のものについても同様の構成を採用することができる。
【００１８】
［中敷本体］
中敷本体１１０は、図２と図３に示すように、足裏に倣った形状のものとなっており、着用者の足裏の全面を支持することができるものとなっている。本実施態様の中敷本体１１０は、扁平なシート状のものとなっているが、これに限定されない。例えば、中敷本体１１０の土踏まず支持部（着用者の土踏まずを支持する部分）を厚く形成してもよい。これにより、中敷本体１１０を着用者の足裏にフィットさせることが可能になり、歩行時の安定感を向上させることができるだけでなく、着用者の足裏のつぼを刺激することも可能になり、その着用者が感じ得る肉体的な疲労を軽減することもできる。また、中敷本体１１０の踵支持部（着用者の踵を支持する部分）を厚く形成してもよい。これにより、着地する際の衝撃を和らげることが可能になる。
【００１９】
中敷本体１１０の素材は、特に限定されず、樹脂や布や皮など、各種の素材を用いることができる。本実施態様の中敷本体１１０は、布で形成された表皮材を発泡樹脂で形成された基材のおもて面に貼着したものとなっている。前記表皮材には、光触媒加工などを施してもよい。これにより、着用者の汗などによって中敷本体１１０が臭くなるのを防止することが可能になる。また、中敷本体１１０には、表裏に貫通する通気孔を設けてもよい。これにより、着用者の足を蒸れにくくすることが可能になり、中敷本体１１０が臭くなるのを防止することが可能になる。
【００２０】
中敷本体１１０のうら面には、図３に示すように、ループ形成材１２０の一端部及び他端部を固着するための固着部１１１（網掛けのハッチングで示した部分）が所定範囲に亘って設けられており、中敷本体１１０のうら面側に出されたループ形成材１２０の一端部及び他端部を固着部１１１における任意の箇所に固着することができるようになっている。本実施態様の中敷本体１１０においては、中敷本体１１０のうら面の固着部１１１に対応する部分にオスの面ファスナを縫着しており、後述するループ形成材１２０の一端部及び他端部に設けられた被固着部１２１（図５を参照。）を位置ずれなくしっかりと固着することができるようになっている。
【００２１】
固着部１１１を設ける箇所は、後述するループ形成材１２０の形態などによっても異なり、特に限定されない。本実施態様の中敷本体１１０においては、図３に示すように、中敷本体１１０のうら面における内側縁部（着用者の足の第一指を支持する側の縁部）に沿って帯状（長さが約１０．５ｃｍで幅が約２．５ｃｍ）に設けている。固着部１１１の前端は、中敷本体１１０の第一指支持部（着用者の足の第一指を支持する部分）に達しており、固着部１１１の後端は、中敷本体１１０の土踏まず支持部（着用者の足の土踏まずを支持する部分）に達している。このため、ループ形成材１２０の固着位置を中敷本体１１０の前後方向に沿って調節することができるようになっている。
【００２２】
また、中敷本体１１０の足指支持部には、図２と図３に示すように、ループ形成材１２０を通すための通し孔１１２が中敷本体１１０の表裏を貫通して設けられており、通し孔１１２から中敷本体１１０のうら面側にループ形成材１２０の一端部を出すことができるようになっている。本実施態様の中敷本体１１０において、通し孔１１２は、中敷本体１１０の前後方向に沿って細長いスリット状に形成されており、ループ形成材１２０を通す位置を、中敷本体１１０の前後方向に沿って調節することができるようになっている。このため、通し孔１１２から中敷本体１１０のうら面側に出されたループ形成材１２０の一端部の固着位置を中敷本体１１０の前後方向に沿って調節することができるようになっている。
【００２３】
通し孔１１２を設ける箇所は、後述するループ形成材１２０の形態などによっても異なり、特に限定されない。本実施態様の中敷本体１１０においては、中敷本体１１０の第一指支持部（着用者の足の第一指を支持する部分）と第二指支持部（着用者の足の第二指を支持する部分）との中間部に設けている。このため、通し孔１１２から中敷本体１１０のおもて面側に出たループ形成材１２０を、草履の鼻緒のように、足の第一指と第二指とで挟むことができるようになっており、着用者が安定して歩きやすいようになっている。
【００２４】
通し孔１１２は、後述するループ形成材１２０を通すことができる寸法（ループ形成材１２０の幅Ｌ２（図４を参照。）以上の長さ）であれば特に限定されない。しかし、通し孔１１２の長さＬ１（図２を参照。）を短く設定しすぎると、ループ形成材１２０を通す位置を前後方向に調節することができなくなるおそれがある。このため、通し孔１１２の長さＬ１は、通常、１０ｍｍ以上に設定される。通し孔１１２の長さＬ１は、１５ｍｍ以上であると好ましく、２０ｍｍ以上であるとより好ましく、２５ｍｍ以上であるとさらに好ましい。
【００２５】
一方、通し孔１１２の長さＬ１を長く設定しすぎると、中敷本体１１０の強度が著しく低下して、中敷本体１１０が破損しやすくなるおそれがある。また、通し孔１１２の長さＬ１を着用者の足指よりも長く設定しても、ループ形成材１２０を通す位置を調節できる範囲は限られている。このため、通し孔１１２の長さＬ１は、通常、５０ｍｍ以下に設定される。通し孔１１２の長さＬ１は、４０ｍｍ以下であると好ましく、３５ｍｍ以下であるとより好ましく、３０ｍｍ以下であるとさらに好ましい。本実施態様の中敷本体１１０において、通し孔１１２の長さＬ１は、約２８ｍｍに設定されている。
【００２６】
［ループ形成材］
ループ形成材１２０は、図４に示すように、帯状に形成されたものとなっている。ループ形成材１２０の長さは、特に限定されないが、通常、１０〜２０ｃｍに設定される。本実施態様のループ形成材１２０は、その長さが約１６．５ｃｍに設定されており、一般的な成人男性の足の第一指に十分に巻きかけることができるものとなっている。また、ループ形成材１２０の素材は、ループを形成できる程度の可撓性を有するものであれば特に限定されない。このような素材としては、樹脂や布や皮などが例示される。本実施態様のループ形成材１２０は、樹脂で形成された表皮材を不織布で形成された基材のおもて面に貼着したものとなっている。
【００２７】
ループ形成材１２０のうら面の一端部及び他端部には、図５に示すように、中敷本体１１０の固着部１１１に固着するための被固着部１２１（網掛けのハッチングで示した部分）が設けられており、ループ形成材１２０の一端部及び他端部を固着部１１１の任意の箇所にそれぞれ固着することができるようになっている。本実施態様のループ形成材１２０においては、ループ形成材１２０のうら面の被固着部１２１に対応する部分にメスの面ファスナを縫着しており、中敷本体１１０の固着部１１１に位置ずれなくしっかりと固着することができるようになっている。
【００２８】
本実施態様のループ形成材１２０は、その一端部及び他端部を中敷本体１１０から取り外せるようになっているので、指別れしていない靴下を着用する場合など、ループ形成材１２０が邪魔になる場合には、ループ形成材１２０を中敷本体１１０から完全に取り外して使用することもできるようになっている。
【００２９】
ループ形成材１２０は、前述した中敷本体１１０の通し孔１１２に通すことができる寸法であれば特に限定されない。しかし、ループ形成材１２０の幅Ｌ２（図４を参照。）を細く設定しすぎると、ループ形成材１２０の強度が著しく低下して、ループ形成材１２０が切れやすくなるおそれがある。このため、ループ形成材１２０の幅Ｌ２は、通常、５ｍｍ以上に設定される。幅Ｌ２は、１０ｍｍ以上であると好ましく、１５ｍｍ以上であるとより好ましい。
【００３０】
一方、ループ形成材１２０の幅Ｌ２を太く設定しすぎると、ループ形成材１２０を通す位置を前後方向に調節することができなくなるおそれがある。このため、ループ形成材１２０の幅Ｌ２は、通常、４０ｍｍ以下に設定される。ループ形成材１２０の幅Ｌ２は、３０ｍｍ以下であると好ましく、２５ｍｍ以下であるとより好ましい。本実施態様の中敷本体１１０において、ループ形成材１２０の幅Ｌ２は、約２０ｍｍに設定されている。
【００３１】
［使用方法］
次に、本発明の靴用中敷１００の好適な使用方法について説明する。まず、ループ形成材１２０の一端部を、中敷本体１１０のおもて面側から通し孔１１２に通して中敷本体１１０のうら面側に出す。ループ形成材１２０の一端部を中敷本体１１０の前方に固着したい場合には、ループ形成材１２０を通し孔１１２の前方に通し、ループ形成材１２０の一端部を中敷本体１１０の後方に固着したい場合には、ループ形成材１２０を通し孔１１２の後方に通す。このとき、ループ形成材１２０のうら面（被固着部１２１が設けられた側の面）が中敷本体１１０の内側（着用者の足の第一指を支持する側）を向くようにする。続いて、通し孔１１２から中敷本体１１０の裏面側に出されたループ形成材１２０の一端部を折り曲げて、図７に示すように、中敷本体１１０の固着部１１１に固着する。
【００３２】
ループ形成材１２０の一端部を中敷本体１１０の固着部１１１に固着し終えると、ループ形成材１２０の他端部を、中敷本体１１０の側方から中敷本体１１０のうら面側に出し、図７に示すように、固着部１１１に固着する。このとき、中敷本体１１０のおもて面側には、図８〜図１１に示すように、着用者の第一指を挿入するためのループが形成されている。続いて、靴用中敷１００を実際に履いてみて、前記ループに第一指を挿入してみる。前記ループが小さかった場合には、ループ形成材１２０の他端部を固着する位置を前方に変え、前記ループが大きかった場合には、ループ形成材１２０の他端部を固着する位置を後方に変える。また、必要がある場合には、ループ形成材１２０の一端部を固着する位置も変える。前記ループの寸法の調節が終わると、靴用中敷１００を、所望の靴の内部に収容する。靴の内部に別の靴用中敷が収容されている場合には、それを取り除いてから本発明の靴用中敷１００を収容するとよい。
【００３３】
このように、本発明の靴用中敷１００を靴に収容することによって、その靴をより歩きやすいものとすることができる。
【００３４】
［他の実施態様］
以上においては、ループ形成材１２０を１本用いた場合についてのみ説明したが、ここで説明する靴用中敷１００は、ループ形成材１２０を複数本用いた例である。図１２は、本発明の靴用中敷１００の他の実施態様を示した斜視図である。図１３は、本発明の靴用中敷１００の他の実施態様を示した平面図である。図１４は、本発明の靴用中敷１００の他の実施態様を示した底面図である。図１５は、図１２における中敷本体１１０を示した平面図である。図１６は、図１２における中敷本体１１０を示した底面図である。図１７は、図１２における第一指挿入用のループ形成材１２０を示した平面図である。図１８は、図１２における第一指挿入用のループ形成材１２０を示した底面図である。図１９は、図１２における第二指〜第五指挿入用のループ形成材１２０を示した平面図である。図２０は、図１２における第二指〜第五指挿入用のループ形成材１２０を示した底面図である。
【００３５】
この靴用中敷１００は、図１２に示すように、ループ形成材１２０を２本備えたものとなっており、ループ形成材１２０を通すための通し孔１１２（図１３、図１４）が中敷本体１１０の足指支持部における第一指を支持する部分と第二指を支持する部分との間に形成されたものとなっている。一方（第一指用）のループ形成材１２０の一端部（前端部）と他方（第二〜四指用）のループ形成材１２０の一端部（前端部）はともに、通し孔１１２から中敷本体１１０のうら面側に出されており、中敷本体１１０のうら面における先端部に設けられた固着部１１１に固着されている。
【００３６】
第一指用のループ形成材１２０の他端部（後端部）は、中敷本体１１０の内側から中敷本体１１０のうら面側に出されており、中敷本体１１０のうら面内側に設けられた固着部１１１に固着されている。第二〜四指用のループ形成材１２０の他端部（後端部）は、中敷本体１１０の外側から中敷本体１１０のうら面側に出されており、中敷本体１１０のうら面外側に設けられた固着部１１１に固着されている。このため、靴用中敷１００のおもて面側には、草履のように、着用者の足の第一指を挿入するループと、着用者の足の第二指、第三指、第四指及び第五指を一まとめに挿入するループとが別個に形成されている。
【００３７】
また、中敷本体１１０の先端部からおもて面側に出ている第一指用のループ形成材１２０と第二〜四指用のループ形成材１２０の根元は、保形リング１３０に挿入している。このため、ループ形成材１２０の形が保たれるようになっており、ループに指を通しやすくすることができるようになっている。本実施態様の靴用中敷１００において、保形リング１３０は柔らかい素材で形成しており、長時間使用しても着用者の足指が痛くならないようにしている。
【００３８】
固着部１１１のうち先端側の固着部１１１は、足指支持部に沿って配すると好ましい。具体的には、図１４に示すように、第一指用のループ形成材１２０の前端部を固着させる固着部１１１は、中敷本体１１０のうら面における第一指を支持する部分に配し、第二〜四指用のループ形成材１２０の前端部を固着させる固着部１１１は、中敷本体１１０のうら面における第二指、第三指、第四指及び第五指を支持する部分に沿って配すると好ましい。これにより、第一指用のループ形成材１２０の前端部における被固着部１２１とそれが固着される固着部１１１の厚みや、第二〜四指用のループ形成材１２０の前端部における被固着部１２１とそれが固着される固着部１１１の厚みによって、力が加わりやすい中敷本体１１０における足指支持部のクッション性を実質的に高めて、靴用中敷１００をより快適なものとすることが可能になる。とくに、固着部１１１と被固着部１２１を面ファスナとした場合には、この面ファスナをパットとして機能させることができるために、靴の中で着用者の足が不要に動くのを抑えることが可能になる。パットとして機能する部分の位置は、固着部１１１に対する被固着部１２１の固着位置を変えることにより、着用者が容易に調節することができる。
【００３９】
［用途］
最後に、本発明の靴用中敷１００の用途について説明する。本発明の靴用中敷１００は、運動靴、作業靴、雨靴、上靴（上履き）、ドレスシューズなどの、各種の靴の内部に収容して使用することができる。なかでも、運動靴や作業靴に使用するものとして好適であり、特に、ウォーキングシューズやジョギングシューズなどの運動靴に使用するものとして好適である。
【図面の簡単な説明】
【００４０】
【図１】本発明の靴用中敷１００を示した斜視図である。
【図２】図１における中敷本体１１０を示した平面図である。
【図３】図１における中敷本体１１０を示した底面図である。
【図４】図１におけるループ形成材１２０を示した平面図である。
【図５】図１におけるループ形成材１２０を示した底面図である。
【図６】本発明の靴用中敷１００を示した平面図である。
【図７】本発明の靴用中敷１００を示した底面図である。
【図８】本発明の靴用中敷１００を示した正面図である。
【図９】本発明の靴用中敷１００を示した背面図である。
【図１０】本発明の靴用中敷１００を示した左側面図である。
【図１１】本発明の靴用中敷１００を示した右側面図である。
【図１２】本発明の靴用中敷１００の他の実施態様を示した斜視図である。
【図１３】本発明の靴用中敷１００の他の実施態様を示した平面図である。
【図１４】本発明の靴用中敷１００の他の実施態様を示した底面図である。
【図１５】図１２における中敷本体１１０を示した平面図である。
【図１６】図１２における中敷本体１１０を示した底面図である。
【図１７】図１２における第一指挿入用のループ形成材１２０を示した平面図である。
【図１８】図１２における第一指挿入用のループ形成材１２０を示した底面図である。
【図１９】図１２における第二指〜第五指挿入用のループ形成材１２０を示した平面図である。
【図２０】図１２における第二指〜第五指挿入用のループ形成材１２０を示した底面図である。
【符号の説明】
【００４１】
１００  靴用中敷
１１０  中敷本体
１１１  固着部
１１２  通し孔
１１３  通気孔
１２０  ループ形成材
１２１  被固着部
１３０  保形リング
【図１】
2007117726.tif 000003
【図２】
2007117726.tif 000004
【図３】
2007117726.tif 000005
【図４】
2007117726.tif 000006
【図５】
2007117726.tif 000007
【図１２】
2007117726.tif 000008
【図１３】
2007117726.tif 000009
【図１４】
2007117726.tif 000010
【図１５】
2007117726.tif 000011
【図１６】
2007117726.tif 000012
【図１７】
2007117726.tif 000013
【図１８】
2007117726.tif 000014
【図１９】
2007117726.tif 000015
【図２０】
2007117726.tif 000016
【図６】
2007117726.tif 000017
【図７】
2007117726.tif 000018
【図８】
2007117726.tif 000019
【図９】
2007117726.tif 000020
【図１０】
2007117726.tif 000021
【図１１】
2007117726.tif 000022